【手続補正書】
【提出日】令和3年7月9日(2021.7.9)
【手続補正１】
【補正対象書類名】特許請求の範囲
【補正対象項目名】全文
【補正方法】変更
【補正の内容】
【特許請求の範囲】
【請求項１】
携帯型Ｘ線デバイスであって、当該携帯型Ｘ線デバイスは：
ハウジングを有し、該ハウジングは、内部空間を定めるハウジング壁配置構成と、前記内部空間内で前記ハウジングによって包まれたＸ線生成器およびＸ線管を有し、前記ハウジングは、前記ハウジング壁配置構成の長さによって定められた側部壁と、放射線照射の領域を調整可能に定めるためにコリメーター調整機構を有する前部壁と、前記ハウジング壁配置構成の後方部分によって定められた反対側の後部壁を有し；
側部ハンドルを有し、該側部ハンドルは、前記側部壁と一体化した第１端部および前記側部壁と一体化した第２端部、ならびに、前記側部ハンドルの前記第１および第２端部の間にある第１グリップ部を有し、前記側部ハンドルは、前記ハウジング壁配置構成の前記長さの前方部分に位置しており；
後部ハンドルを有し、該後部ハンドルは、前記後部壁と一体化した第１端部および前記後部壁と一体化した第２端部、ならびに、前記後部ハンドルの前記第１および第２端部の間にある第２グリップ部を有し；
第１アクチュエータートリガーを有し、該第１アクチュエータートリガーは、前記側部または後部ハンドルのいずれか一方の前記第１端部に隣接して位置しており、前記第１アクチュエータートリガーは、当該デバイスの放射線機能を制御するように構成されており；かつ、
第２アクチュエータートリガーを有し、該第２アクチュエータートリガーは、前記側部または後部ハンドルの前記いずれかの前記第２端部に隣接して位置しており、前記第１および第２アクチュエータートリガーは、前記ハンドルの前記グリップ部の両方の端部に隣接して位置している、
前記携帯型Ｘ線デバイス。
【請求項２】
前記第１および第２アクチュエータートリガーが、後部ハンドル上に位置しており、前記アクチュエーターはそれぞれ、当該デバイスの前記放射線写真機能を制御するように構成されている、請求項１に記載の携帯型デバイス。
【請求項３】
前記側部ハンドルの前記第１端部に隣接して位置する第３アクチュエータートリガーおよび前記側部ハンドルの前記第２端部に隣接して位置する第４アクチュエータートリガーをさらに有し、前記第３および第４アクチュエータートリガーは、当該デバイスの放射線写真機能を制御するように構成されている、請求項２に記載の携帯型デバイス。
【請求項４】
前記後部ハンドルの前記第１および第２アクチュエーターが、Ｘ線照射を開始させるためのスイッチを提供するように構成されており、かつ、前記側部ハンドルの前記第３および第４アクチュエーターが、当該デバイスから発せられる光の制御を提供して、Ｘ線照射の標的を識別するように構成されている、請求項３に記載の携帯型デバイス。
【請求項５】
前記アクチュエータートリガーがそれぞれ、前記ハンドルの前記グリップ部の端部に位置するボタンを有し、ユーザーが、前記ハンドルを保持するときに前記ユーザーの親指で前記ボタンを操作してもよいようになっている、請求項３に記載の携帯型デバイス。
【請求項６】
前記側部ハンドルが、ユーザーが一方の手で前記側部ハンドルを握って当該デバイスを支持するように当該デバイスの側部に沿って配置されており、かつ、前記後部ハンドルが、ユーザーが他方の手で前記後部ハンドルを同時に握って当該デバイスを支持するような位置に配置されており、かつ、前記アクチュエータートリガーが、前記ユーザーが、当該デバイスを保持しながら各ハンドルの少なくとも１つのトリガーを同時に操作するように位置している、請求項３に記載のデバイス。
【請求項７】
前記ハウジングの前記側部が、前記側部ハンドルに隣接したボイド領域を定めるギザギザの領域を有し、前記ボイド領域は、ユーザーが手を入れて前記側部ハンドルを保持するための空間を提供する、請求項１に記載のデバイス。
【請求項８】
前記ハウジングが中心軸を有する側部の長さを有し、該中心軸は、前記長さの前方部分および後方部分を分離しており、前記後部壁が後方部分中心軸を有し、前記側部ハンドルが前記側部の前記前方部分に位置しており、前記後部ハンドルが前記後方部分中心軸に概して沿っている、請求項１に記載のデバイス。
【請求項９】
前記ハウジングが、前方および後方端部の間にある長さを有し、かつ、前記ハウジングが特徴的な幅を有し、前記側部ハンドルが、少なくとも前記ハウジングの側部の幅の広がりにまたがる軸線に沿った長さを有する、請求項１に記載のデバイス。
【請求項１０】
前記ハウジングの前記後部壁が特徴的な高さを有し、前記後部ハンドルが、少なくとも前記後方部分の特徴的な高さの広がりにまたがる軸線に沿った長さを有する、請求項９に記載のデバイス。
【請求項１１】
前記側部ハンドルの前記軸線が、前記後部ハンドルの前記軸線と概して平行である、請求項１０に記載のデバイス。
【請求項１２】
主たる本体を有する携帯型手持ちＸ線デバイスであって、該主たる本体は、前記本体の特徴的な幅を定める側部壁、前記本体の特徴的な高さを定める後方部分および放射線照射の領域を調整可能に定めるコリメーター調整機構を有する反対側の前方部分を有し、前記の主たる本体は、Ｘ線生成器およびＸ線管を包む内部空間ならびに照射制御プロセッサーを有し、当該携帯型手持ちＸ線デバイスはさらに；
側部ハンドルを有し、該側部ハンドルは、前記側部壁の前方部分に隣接して配置されており、かつ、前記側部壁の広がりにわたって延びるハンドル長さを有し、前記側部ハンドルは、第１端部および第２端部を有し、前記端部の間には中間グリップ部があり、前記グリップ部は、ユーザーが前記ハンドルを保持して前記側部壁に隣接した位置にて当該デバ
イスを支持するように構成されており；
前記の主たる本体の前記後方部分における後部壁に隣接して配置された後部ハンドルを有し、前記後部ハンドルは、第１端部および第２端部を有し、かつ、前記端部の間に中間グリップ部を有し、前記グリップ部は、ユーザーが前記後部ハンドルを保持して前記後部壁に隣接した位置にて当該デバイスを支持するように構成されており；
前記側部または後部ハンドルのうちの第１のものの上に位置する第１アクチュエータートリガーを有し、前記アクチュエータートリガーは、前記ユーザーが前記側部および後部ハンドルを保持している間、前記照射制御プロセッサーに電気的に接続されて、第１の機能の駆動についての制御を提供し；かつ、
前記の第１のハンドルの上に位置する第２アクチュエータートリガーを有し、前記第１および第２アクチュエータートリガーは、前記ハンドルの前記グリップ部の両方の端部に隣接して位置している、
前記携帯型手持ちＸ線デバイス。
【請求項１３】
前記側部または後部ハンドルの前記いずれかの第２のハンドルが、第３および第４アクチュエータートリガーを含んでおり、該第３および第４アクチュエータートリガーはそれぞれ、前記の第２のハンドルの前記グリップ部に隣接して位置しており、かつ、両方のハンドルを保持するユーザーによって押されることが可能なように露出しており、前記の第２のハンドルの前記アクチュエータートリガーは、当該デバイスの第２の機能を駆動させるように構成されている、請求項１２に記載の携帯型手持ちＸ線デバイス。
【請求項１４】
各ハンドルの前記アクチュエータートリガーが、ユーザーが各ハンドル上に手を置いて当該デバイスを保持しながら前記の第１および第２の機能を駆動させることを可能にする構成にて位置している、請求項１３に記載の携帯型手持ちＸ線デバイス。
【請求項１５】
前記の第１のハンドルの前記アクチュエータートリガーのうちの少なくとも一方が、ユーザーが前記の第１のハンドルを保持している手の親指で前記の第１の機能を駆動させる位置にあり、前記の第２のハンドルの前記アクチュエータートリガーのうちの少なくとも一方が、ユーザーが前記の第２のハンドルを保持している手の親指で前記の第２の機能を駆動させる位置にある、請求項１４に記載の携帯型手持ちＸ線デバイス。
【請求項１６】
前記の第２のハンドルの各トリガーが、電気的な接続を用いて当該デバイスの前方部分から発する光を制御するように構成されており、かつ、前記の第１のハンドルの各トリガーが、電気的な接続を用いて当該デバイスによるＸ線照射を駆動させるように構成されている、請求項１５に記載の携帯型手持ちＸ線デバイス。
【請求項１７】
前記側部ハンドルが前記側部壁と一体化しており、かつ、前記後部ハンドルが前記後部壁と一体化している、請求項１２に記載の携帯型手持ちＸ線デバイス。
【請求項１８】
前記側部ハンドルの前記第１および第２端部がそれぞれ前記側部壁に固定されており、かつ、前記後部ハンドルの前記第１および第２端部がそれぞれ前記後部壁に固定されている、請求項１６に記載の携帯型手持ちＸ線デバイス。
【請求項１９】
前記ハウジングが、前記側部ハンドルに隣接したギザギザの部分を有し、ユーザーが前記側部ハンドルの前記グリップ部を握るためのアクセスのためのボイド領域を提供する、請求項１２に記載の携帯型手持ちＸ線デバイス。
【請求項２０】
前記の主たる本体が、前方端部および後方端部の間に本体長さを有し、前記側部ハンドルの前記グリップ部が、前記の主たる本体の前記前方端部に隣接して位置しており、かつ、前記後部ハンドルが、前記の主たる本体を越えて延びている、請求項１２に記載の携帯
型手持ちＸ線デバイス。
【請求項２１】
前記の主たる本体が、前記本体の中央に中心線を有する長さを有し、前記側部ハンドルが前記前方端部と前記中心線との間に配置されており、かつ、前記後部ハンドルが、前記中心線からある程度離れて配置されている、請求項２０に記載の携帯型手持ちＸ線デバイス。
【請求項２２】
前記の主たる本体が、前方端部と後方端部との間に全体長さを有し、かつ、前記側部ハンドルの前記グリップ部が、前記後部ハンドルの前記グリップ部から距離を置いて配置されており、前記グリップ部間の前記距離が、前記本体の長さの半分より大きい、請求項１２に記載の携帯型手持ちＸ線デバイス。
【請求項２３】
支持ストラップコネクターが、前記側部ハンドルの各端部および前記後部ハンドルの各端部に隣接して配置されている、請求項１２に記載の携帯型手持ちＸ線デバイス。
【請求項２４】
細長い側部壁配置構成、放射線照射の領域を調整可能に定めるコリメーター調整機構を有する前部壁および反対側の後部壁を有する主たる本体を有する携帯型手持ちＸ線デバイスであって、前記の主たる本体は、Ｘ線生成器およびＸ線管を包む内部空間ならびに制御プロセッサーを有し、当該携帯型手持ちＸ線デバイスは：
側部ハンドルを有し、該側部ハンドルは、前記側部壁の前方部分に隣接して配置されており、かつ、前記側部壁の広がりに隣接して位置する細長い第１グリップ部を有し；
後部ハンドルを有し、該後部ハンドルは、前記後部壁に隣接して配置されており、かつ、前記後部壁に隣接して位置する細長い第２グリップ部を有し；
前記側部ハンドルまたは後部ハンドルのいずれかの前記グリップ部の両方の端部に配置されたアクチュエータートリガーのペアを有し、前記アクチュエータートリガーはそれぞれ、ユーザーが前記側部および後部ハンドルの前記グリップ部にて当該デバイスを保持しながら当該デバイスの機能を制御するためのスイッチとして構成されている、
前記携帯型手持ちＸ線デバイス。
【請求項２５】
前記側部または後部ハンドルの他方の前記グリップ部の両方の端部に配置されたアクチュエータートリガーの第２のペアをさらに有し、前記のアクチュエータートリガーの第２のペアはそれぞれ、ユーザーが前記側部および後部ハンドルの前記グリップ部を保持しながら当該デバイスの機能を制御するためのスイッチとして構成されている、請求項２４に記載の携帯型手持ちＸ線デバイス。
【請求項２６】
前記のアクチュエータートリガーの第１のペアが、前記側部ハンドル上に配置されており、かつ、Ｘ線照射領域を定めるために当該デバイスの機能を制御するように構成されており、前記のアクチュエータートリガーの第２のペアが、前記後部ハンドル上に配置されており、かつ、Ｘ線照射の駆動を制御するように構成されており、ユーザーが、両方のハンドルにて当該デバイスを保持しながら当該デバイスの両方の機能を同時に作動させてもよいようになっている、請求項２５に記載の携帯型手持ちＸ線デバイス。
【請求項２７】
前記の主たる本体が、前記後部壁と当該デバイスの前方端部との間に本体長さを有し、前記側部ハンドルが、当該デバイスの前記前方端部に隣接して配置されており、かつ、前記後部ハンドルが前記の主たる本体を越えて延びている、請求項２４に記載の携帯型手持ちＸ線デバイス。
【請求項２８】
前記側部壁配置構成が、略平面セグメントおよびギザギザのセグメントを有し、前記のギザギザのセグメントは、前記側部ハンドルに隣接した当該デバイスの前記前方端部に隣接して配置されている、請求項２７に記載の携帯型手持ちＸ線デバイス。
【請求項２９】
前記の主たる本体が、前記本体の中央に中心線を有する長さを有し、前記側部ハンドルが、前記前方端部と前記中心線との間に配置されており、かつ、前記後部ハンドルが、前記中心線からある程度離れて配置されている、請求項２８に記載の携帯型手持ちＸ線デバイス。
【請求項３０】
前記側部ハンドルの前記グリップ部および前記後部ハンドルの前記グリップ部が、分離距離にて位置しており、前記分離距離は、前記本体の長さの半分より大きい、請求項２９に記載の携帯型手持ちＸ線デバイス。
【請求項３１】
携帯型手持ちＸ線デバイスであって、当該携帯型手持ちＸ線デバイスは：
前方端部および後方端部を有する主たる本体を有し；
前記の主たる本体の側部に沿った前記前方端部に隣接して配置されたグリップ部を有する側部ハンドルを有し、前記グリップ部は、第１の軸に沿う細長い広がりを有し、かつ、ユーザーが当該Ｘ線デバイスを用いながら前記側部グリップ部を第１の手で保持するように構成されており；
前記後方端部に隣接して配置されたグリップ部を有する後部ハンドルを有し、前記後部グリップ部は、第２の軸に沿う細長い広がりを有し、かつ、ユーザーが当該Ｘ線デバイスを用いながら前記後部グリップ部を第２の手で保持するように構成されており；
前記側部および後部グリップ部は、ユーザーが、前記側部ハンドルが前記ユーザーの左側にあっても右側にあっても、当該デバイスを保持および使用してもよいように位置しており；かつ、
前記ハンドルのうちの少なくとも一方が、前記グリップ部の前記の細長い広がりの各端部に配置されたアクチュエータートリガーを有し、各アクチュエータートリガーは、ユーザーが前記ハンドルの前記グリップ部を保持することによって当該デバイスを支持しながら、当該デバイスの機能を制御するためのスイッチを提供するように構成されている、
前記携帯型手持ちＸ線デバイス。
【請求項３２】
各アクチュエータートリガーが、前記ハンドルの前記グリップ部の前記軸に対して角度をなして位置しているプラットフォーム上にあるボタンを有する、請求項３１に記載の携帯型手持ちＸ線デバイス。
【請求項３３】
前記アクチュエータートリガーが、前記側部ハンドル上に配置されており、かつ、当該デバイスの第１の機能を制御するように構成されており、当該デバイスはさらに、アクチュエータートリガーの第２のペアを有し、該アクチュエータートリガーの第２のペアは、前記後部ハンドル上に配置されており、かつ、当該デバイスの第２の機能を制御するように構成されており、前記の４つのアクチュエータートリガーはそれぞれ、前記の各々のハンドルの前記グリップ部の前記軸に対して角度をなして位置するボタンを有する、請求項３１に記載の携帯型手持ちＸ線デバイス。